(57)【要約】【課題】  携帯電話機で通話する際に、テレビジョンからの音声が通話の妨げとならないようにすることができるテレビジョンを提供することを目的とする。【解決手段】  画像情報を表示する画像表示部１２と、音声を発する音声部１３と、装置全体を統括して制御する制御手段１４と、電源部１５と、これらテレビジョン受信手段１１、画像表示部１２、制御手段１４および電源部１５を収納する筐体１７と、を備えたテレビジョン１において、携帯電話機２を着脱自在に装着するとともに、携帯電話機２の有無を検知する検知部３を有する携帯電話機保持手段４を、更に備え、検知部３が、携帯電話機２が取り外されたこと検知した場合は、音声部１３からの音声が、携帯電話機２の通話の妨げとならないように構成する。【選択図】図４
2008294495.tif 000002
【特許請求の範囲】
【請求項１】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、前記テレビジョン受信手段からの出力信号に基づいて音声を発する音声部と、全体的な制御を統括して行う制御手段と、電源部と、これらテレビジョン受信手段、画像表示部、制御手段および電源部を収納する筐体と、を備えたテレビジョンにおいて、
携帯電話機を着脱自在に装着するとともに、前記携帯電話機の有無を検知する検知部を有する携帯電話機保持手段を、更に備え、前記検知部が、前記携帯電話機が取り外されたこと検知した場合は、前記音声部からの音声が、前記携帯電話機の通話の妨げとならないように構成したことを特徴とするテレビジョン。
【請求項２】
前記筐体を支持するスタンド部を、更に備え、このスタンド部に、前記携帯電話機保持手段を設けたことを特徴とする請求項１に記載のテレビジョン。
【請求項３】
前記携帯電話機を充電する充電アダプタを、更に備え、前記筐体にＵＳＢ接続ポートを設けるとともに、前記充電アダプタに前記ＵＳＢ接続ポートに接続可能なＵＳＢ端子を設け、前記携帯電話機を前記充電アダプタに接続し、かつ、前記携帯電話機保持手段により保持した状態で、前記ＵＳＢ端子を前記ＵＳＢ接続ポートに接続して前記携帯電話機を充電できるように構成したことを特徴とする請求項１に記載のテレビジョン。
【請求項４】
前記検知部は、前記携帯電話機が取り外されたことを検知した場合には、前記電源部をオフするように構成したことを特徴とする請求項１に記載のテレビジョン。
【請求項５】
前記制御手段は、前記検知部が、前記携帯電話機を取り外されたことを検知した場合には、前記音声部からの音声が、前記携帯電話機の通話の妨げとならないように制御するように構成したことを特徴とする請求項１に記載のテレビジョン。
【請求項６】
前記携帯電話機保持手段は、前記携帯電話機が装着されていない状態で、前記検知部が動作しないように操作できるように構成されていることを特徴とする請求項１乃至請求項３のいずれかに記載のテレビジョン。
【発明の詳細な説明】
【技術分野】
【０００１】
本発明は、例えば、液晶ディスプレやプラズマディスプレなどからなるテレビジョンに関し、特に、この種テレビジョンに携帯電話機を装着できるようにするとともに、携帯電話機で通話する際に、テレビジョンからの音声が通話の妨げとならないようにしたものである。
【背景技術】
【０００２】
近年、携帯電話機が普及し、家にいる際など置き場所を特定しないと、何処に置いたのか迷うことがある。また、一方、テレビジョンを見ている際に、携帯電話機が掛かってきた際には、テレビジョンからの音声が通話の妨げとなり、その都度、テレビジョンのボリュームを調整して音量を下げるか、或いは、電源を切る必要があった。
【０００３】
従来、例えば、コンピュータなどの上位装置と接続される画像表示装置のセキュリティシステムにおいて、ＩＤカードと携帯電話機とを一体とし、携帯電話機にＩＤカードの機能を付加し、この携帯電話機を用いて、画像表示装置のオン、オフ操作などを可能にしたものがある(例えば、特許文献１参照）。
【０００４】
また、自動車内に携帯電話機を置き忘れるのを防止するために、イグニッションスイッチがオフとなったときに、クレードルに携帯電話機が保持されたままであるときには、警報を発するようにしたものがある(例えば、特許文献２参照）。
【特許文献１】特開２０００−６６７５８号公報
【特許文献２】特開平１１−１５５００５号公報
【発明の開示】
【発明が解決しようとする課題】
【０００５】
しかし、前述の特許文献１記載の構成では、携帯電話機と画像表示装置とは、対として機能するものであり、それぞれ特別な構造が必要である他、コンピュータなどの上位装置に接続された画像表示装置は、通常、音声を聴くものでないことから、特に、携帯電話機で通話する際の特別な配慮は、一切施されていない。また、特許文献１記載の収納手段は、特定の携帯電話機についてのみ適用できるもので、一般的の携帯電話機に利用できるものではない。また、特許文献２記載の構成では、携帯電話機の置忘れを防止できるに止まり、上述した本発明の課題である携帯電話機で通話する際、テレビジョンの音声が通話の妨げとならないようにすることができないなどいった問題があった。
【０００６】
本発明は、上述した問題を解決するためになされたものであり、携帯電話機で通話する際に、テレビジョンからの音声が通話の妨げとならないようにすることができるテレビジョンを提供することを目的とする。
【課題を解決するための手段】
【０００７】
かかる目的を達成するため、本発明では、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、テレビジョン受信手段からの出力信号に基づいて音声を発する音声部と、全体的な制御を統括して行う制御手段と、電源部と、これらテレビジョン受信手段、画像表示部、制御手段および電源部を収納する筐体と、を備えたテレビジョンにおいて、携帯電話機を着脱自在に装着するとともに、携帯電話機の有無を検知する検知部を有する携帯電話機保持手段を、更に備え、検知部が、携帯電話機が取り外されたこと検知した場合は、音声部からの音声が、携帯電話機の通話の妨げとならないように構成する。
【０００８】
この構成によれば、テレビジョンを観ている際に、携帯電話機に電話が掛かってきた場合、携帯電話機を携帯電話機保持手段から取り外すと、検知部は、携帯電話機が取り外されたこと検知し、自動的にテレビジョンの音声部からの音声が、携帯電話機の通話の妨げとならないようにすることができる。従って、従来のように、その都度、テレビジョンのボリュームを調整して音量を下げたり、或いは、電源を切ったりする必要がなくなる。
【０００９】
また、本発明においては、筐体を支持するスタンド部を、更に備え、このスタンド部に、携帯電話機保持手段を設ける。この構成によれば、携帯電話機は、スタンド部に設けられた、携帯電話機保持手段に保持されているので、携帯電話機保持手段を設けるために、別途、新たな構造物を設ける必要がない。また、携帯電話機は、常に、眼が付き易い場所にあり、携帯電話機が何処にあるのか迷う事がなくなり、都合が良い。
【００１０】
また、本発明においては、携帯電話機を充電する充電アダプタを、更に備え、筐体にＵＳＢ接続ポートを設けるとともに、充電アダプタにＵＳＢ接続ポートに接続可能なＵＳＢ端子を設け、携帯電話機を充電アダプタに接続し、かつ、携帯電話機保持手段により保持した状態で、ＵＳＢ端子をＵＳＢ接続ポートに接続して携帯電話機を充電できるように構成する。
【００１１】
この構成によれば、携帯電話機は、携帯電話機保持手段に装着した状態で充電することができるので、携帯電話機を充電アダプタに接続し、当該充電アダプタのＵＳＢ端子を筐体に設けられたＵＳＢ接続ポートに接続すれば、テレビジョンを観ながら携帯電話機を充電することができ、都合がよい。
【００１２】
また、本発明においては、検知部は、携帯電話機が取り外されたことを検知した場合には、電源部をオフするように構成する。この構成によれば、テレビジョンを観ていて、外出するために携帯電話機を携帯電話機保持手段から取り外せば、自動的にテレビジョンの電源がオフされるので、テレビジョンの切り忘れなどがなくなり、都合がよい。
【００１３】
また、本発明においては、制御手段は、検知部が、携帯電話機を取り外されたことを検知した場合には、音声部からの音声が、携帯電話機の通話の妨げとならないように制御するように構成する。この構成によれば、携帯電話機に電話が掛かってきた場合、携帯電話機を携帯電話機保持手段から取り外すと、検知部は、携帯電話機が取り外されたこと検知し、自動的にテレビジョンの音声部からの音声が、携帯電話機の通話の妨げとならないように制御するので、携帯電話機で通話しながら、テレビジョンの画像のみを観ることができ、都合がよい。
【００１４】
更に、携帯電話機保持手段は、携帯電話機が装着されていない状態で、検知部が動作しないように操作できるように構成する。この構成によれば、携帯電話機が装着されていない状態でも、検知部が動作しないように操作できるので、携帯電話機を持っていない場合でも、テレビジョンを観ることができ、都合がよい。
【発明の効果】
【００１５】
本発明によれば、テレビジョンを観ているときに、携帯電話機で通話する際に、テレビジョンからの音声が通話の妨げとならないように自動的にできるテレビジョンを得ることができる。
【発明を実施するための最良の形態】
【００１６】
（第１実施形態）
以下、本発明の一実施形態を図１乃至図６に基づいて説明する。図１は、本発明の一実施形態に係るテレビジョンのブロック構成を示すブロック図である。図２は、図１に示すテレビジョンの概略構成を示す正面図、図３は、図２に示すテレビジョンに設けられた携帯電話機保持手段の要部を示す斜視図である。図４は、図３に示す携帯電話機保持手段に携帯電話機を装着した状態を示し、（ａ）は、概略上面図、（ｂ）は、検知部の状態を示す要部断面図である。図５は、図３に示す携帯電話機保持手段に携帯電話機が装着されていない状態を示し、（ａ）は、概略上面図、（ｂ）は、検知部の状態を示す要部断面図である。図６は、同じく携帯電話機保持手段に携帯電話機が装着されていない状態を示し、（ａ）は、概略上面図、（ｂ）は、検知部の状態を示す要部断面図である。
【００１７】
図１に示すように、例えば、地上デジタルのテレビ放送が受信できるテレビジョン１は、テレビジョン受信手段１１と、このテレビジョン受信手段１１からの出力信号に基づいて画像情報を表示する画像表示部１２と、テレビジョン受信手段１１からの出力信号に基づいて音声を発するスピーカなどからなる音声部１３と、装置の全体的な制御を統括して行う制御手段１４と、各部に電力を供給する電源部１５と、操作パネル１６と、これらテレビジョン受信手段１１、画像表示部１２、音声部１３、制御手段１４および電源部１５などを収納する筐体１７とから構成されている。
【００１８】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Transport Stream）デコーダ１１３と、映像データを復号して映像信号を出力するビデオデコーダ１１４と、音響データを復号して音声信号を出力するオーディオデコーダ１１５とから構成されている。
【００１９】
画像表示部１２は、例えば、薄型の液晶ディスプレからなり、図２に示すように、例えば、厚みの薄い略矩形状の筐体１７のフロント側に形成された矩形状の開口１７１に、液晶ディスプレの表示面である液晶パネル１２１が嵌め込まれ、この液晶パネル１２１において映像などを表示することが可能となっている。音声部１３は、例えば、スピーカからなり、このスピーカの前面は、筐体１７のフロント面に位置するように装着されている。
【００２０】
制御手段１４は、装置の全体的な制御を統括して行うマイクロコンピュータ（マイクロコントローラ）から構成されている。この制御手段１４には、作業用のメモリ空間を提供するＲＡＭ（Random Access Memory）１８と、制御プログラムや制御データが格納される不揮発性メモリ１９などが接続されている。操作パネル１６には、複数の操作ボタンやリモコン受信部１６１が設けられ外部からの指示操作を受け付けるように構成されている。これにより、制御手段１４は、操作パネル１６およびリモコン受信部１６１を介してリモコンＲから入力される種々のコマンド信号に応じて各部に制御信号を発して所定の動作を行わせる。なお、ＲＡＭ１８や不揮発性メモリ１９はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（"affiliation_id"と記述される）、１ｃｈ〜１２ｃｈの選局番号のうち放送局により割り当て用として推奨され選局番号を示すリモコンキーＩＤ（"remote_control_key_id"と記述される）などがある。そして、これらのデータは、ＴＳデコーダ１１３においてデコードされて制御手段１４へ送られるようになっている。
【００２１】
かかる構成により、ユーザは、例えば、リモコンＲを用いて、テレビジョン１を操作し、所望のチャンネルに合わせることにより、画像表示部１２である液晶ディスプレの液晶パネル１２１に表示される画像を観ることができ、同時に音声部１３であるスピーカから音声を聴くことができる。
【００２２】
而して、本発明に従い、図１乃至図３に示すように、筐体１７を支持するスタンド部５には、携帯電話機２を着脱自在に装着するとともに、携帯電話機２の有無を検知する検知部３を有する携帯電話機保持手段４が設けられている。この携帯電話機保持手段４は、図３に示すように、携帯電話機２を着脱自在に装着するために、例えば、スタンド部５に直接設けられた一対の固定側リブ４１ａ、４１ｂと、可動片４２に設けられた一対の可動側リブ４３ａ、可動側リブ４３ｂと、を備えている。固定側リブ４１ａは、Ｌ字状に形成され、また、固定側リブ４１ｂは、Ｌ字状で底を有する形状に形成されている。同様に、可動側リブ４３ａは、Ｌ字状に形成され、また、可動側リブ４３ｂは、Ｌ字状で底を有する形状に形成されている。
【００２３】
そして、可動片４２は、スタンド部５の上面５１から一段落ち込んだ窪み部５２に配設され、この可動片４２は、窪み部５２の上下（図３において、左右に対して上下である。）に設けられたスライド溝４４に沿って、矢印で示すように左右に移動可能に形成されている。この構成により、可動片４２がスライド溝４４に沿って左右に移動するので、左右の固定側リブ４１ａ、４１ｂと、可動側リブ４３ａ、４３ｂとの間に、携帯電話機２が着脱自在に装着される。また、図示しないが、可動片４２は、例えば、バネや、ストッパー機構などを用いて所望の位置に移動し、その状態を保持できるように構成してもよい。この場合、通常の使用状態では、可動片４２は、携帯電話機２が装着されているときには、図４に示すように左側に、また、携帯電話機２が装着されていないときには、図５に示すように右側に位置するように構成されている。
【００２４】
また、窪み部５２の固定側リブ４１ｂ側の一部には、検知部３を装着するための検知部用窪み部４５が延設されている。検知部３は、例えば、ピラッミド形状に形成された押圧部３１を有するスイッチからなり、携帯電話機２が携帯電話機保持手段４に装着されている場合（図４（ａ）参照）には、押圧部３１が携帯電話機２により押されて動作しない（図４（ｂ）参照）。これに対して、電話を掛けるため、或いは、携帯電話機２に電話が掛かってきて携帯電話機２を携帯電話機保持手段４から取り外した場合（図５（ａ）参照）には、押圧部３１に対する押圧力がなくなり、押圧部３１は、上側に移動（図５（ｂ）参照）し、これを検知し、音声部１３からの音声が、携帯電話機２の通話の妨げとならないように、例えば、電源部１５をオフするように動作するように構成されている。これによりテレビジョン１の電源は切れ、テレビジョン１からの音声を気にすることなく通話することができる。
【００２５】
また、上述の例では、検知部３が、携帯電話機２が取り外されたことを検知した場合に、電源部１５をオフするようにしたが、これに換えて、例えば、検知部３は、携帯電話機２が取り外されたことを検知した場合には、制御手段１４に携帯電話機２が取り外されたことを伝える信号を発信し、制御手段１４は、当該信号を受けたときには、音声部１３からの音声が、携帯電話機２の通話の妨げとならないように、予め設定されている音量となるように、ボリュームを調整するように制御するようにしてもよい。勿論、この場合、音声部１３の音量を完全に切り、画像のみを表示するようにしてもよいのは、勿論である。
【００２６】
また、携帯電話機２を持っていない場合、検知部３が動作して電源などが切れないように意図的に行うために、携帯電話機保持手段４として、携帯電話機２が装着されていない状態で、検知部３が動作しないように、例えば、図６に示すように、可動片４２を左側に移動させ、可動片４２により、検知部３の押圧部３１を押し込む操作ができるように構成しても良い。このようのように構成すれば、携帯電話機２が装着されていない状態でも、検知部３が動作しないように操作できる。従って、携帯電話機２を持っていない場合でも、テレビジョン１を観ることができ、都合がよい。
【００２７】
以上の構成による本実施形態によれば、テレビジョン１を観ている際に、携帯電話機２に電話が掛かってきた場合、或いは、電話を掛ける場合、携帯電話機２を携帯電話機保持手段４から取り外すと、検知部３は、携帯電話機２が取り外されたことを検知し、自動的にテレビジョン１の音声部１３からの音声が、携帯電話機２の通話の妨げとならないようにすることができる。従って、従来のように、その都度、テレビジョン１のボリュームを調整して音量を下げたり、或いは、電源を切ったりする必要がなくなる。
【００２８】
また、本実施形態よれば、携帯電話機２は、スタンド部５に設けられた、携帯電話機保持手段４に保持されているので、携帯電話機保持手段４を設けるために、別途、新たな構造物を設ける必要がない。また、携帯電話機２は、常に、眼が付き易い場所にあり、携帯電話機２が何処にあるのか迷う事がなくなり、都合が良い。
【００２９】
また、テレビジョン１を観ていて、外出するために携帯電話機２を携帯電話機保持手段４から取り外せば、自動的にテレビジョン１の電源がオフされるので、テレビジョン１の切り忘れなどがなくなり、都合がよい。
【００３０】
（第２実施形態）
次に、本発明の第２実施形態について図７乃至図９を参照しながら説明する。図７は、本発明の第２実施形態に係るテレビジョンの概略構成を示す斜視図である。図８は、図7に示す携帯電話機と充電アダプタとの関係を示す平面図である。図９は、携帯電話機と検知部との他の例を示す要部断面図である。なお、図７乃至図９において、上述した図１乃至図６と同じ符号を付した部分は、略同一のものを示すため、ここでは詳細な説明は省略する。以下、上述した第１実施形態との相違点を中心に説明する。
【００３１】
本実施形態では、図７および図８に示すように、筐体１７の、例えば、側面には、ＵＳＢ（Universal Serial Bus）接続ポート６が設けられている。また、携帯電話機保持手段４は、携帯電話機２を保持した状態で充電できるように、例えば、携帯電話機２を装着した状態の充電アダプタ７を着脱可能に保持する機能を備えている。また、充電アダプタ７は、接続コード７１の先端に、ＵＳＢ接続ポート６に接続可能なＵＳＢ端子７２を備えている。そして、携帯電話機２を充電アダプタ７に装着し、ＵＳＢ端子７２を、ＵＳＢ接続ポート６に接続することにより、携帯電話機２を充電できるように構成されている。
【００３２】
上述した携帯電話機２を装着した状態の充電アダプタ７を着脱可能に保持する機能を備えた携帯電話機保持手段４としては、第１実施形態で示した図３に示すような機構により実施可能である。例えば、図８に示すように、上下一対の固定側リブ４１ａ、４１ｂと、可動片４２に設けられた上下一対の可動側リブ４３ａ、４３ｂとにより、携帯電話機２を装着した状態の充電アダプタ７を着脱可能に保持できるように構成すればよい。また、図９に示すように、携帯電話機保持手段４に、充電アダプタ７を一体的に形成するとともに、携帯電話機２を着脱可能に保持する保持具７３を設ける。そして、検知部３としては、一対の発光素子３２と、受光素子３３からなる光センサを用い、この光センサからなる検知部３により、携帯電話機２の有無、即ち、携帯電話機保持手段４の機能を有する充電アダプタ７から携帯電話機２が取り外されたか否かを検知するようにしても良いのは、勿論である。更には、上述した第１実施形態で示した図３に示すような携帯電話機保持手段４により、携帯電話機２のみを保持し、別途、図示しないコネクタ付きのケーブルを介して携帯電話機２と、充電アダプタ７とを接続するとともに、ＵＳＢ端子７２と、ＵＳＢ接続ポート６とを接続して、携帯電話機２を充電するようにしても良いのは、勿論である。
【００３３】
以上の構成による本実施形態よれば、上述した第１実施形態と同様の作用効果を奏する他、携帯電話機２は、携帯電話機保持手段４に装着した状態で充電することができるので、携帯電話機２を充電アダプタ７に接続し、当該充電アダプタ７のＵＳＢ端子７２を筐体に１７設けられたＵＳＢ接続ポート６に接続すれば、テレビジョン１を観ながら携帯電話機を充電することができ、都合がよい。
【００３４】
なお、上述した各実施形態は、本発明の好適な実施例であるが、本発明はこれに限定されるものではなく、本発明の要旨を逸脱しない範囲において、種々変形実施可能である。
【００３５】
例えば、上述した各実施形態では、地上波のＵＨＦ帯を使用して開始された地上波デジタル放送を受信する所謂、地デジ式のテレビジョン１について説明したが、これに換えて、アナログ放送を受信するアナログ式のテレビジョンに適用しても良いのは、勿論である。
【図面の簡単な説明】
【００３６】
【図１】本発明の一実施形態に係るテレビジョンのブロック構成を示すブロック図である。
【図２】図１に示すテレビジョンの概略構成を示す正面図である。
【図３】図２に示すテレビジョンに設けられた携帯電話機保持手段の要部を示す斜視図である。
【図４】図３に示す携帯電話機保持手段に携帯電話機を装着した状態を示し、（ａ）は、概略上面図、（ｂ）は、検知部の状態を示す要部断面図である。
【図５】図３に示す携帯電話機保持手段に携帯電話機が装着されていない状態を示し、（ａ）は、概略上面図、（ｂ）は、検知部の状態を示す要部断面図である。
【図６】図３に示す携帯電話機保持手段に携帯電話機が装着されていない状態を示し、（ａ）は、概略上面図、（ｂ）は、検知部の状態を示す要部断面図である。
【図７】本発明の第２実施形態に係るテレビジョンの概略構成を示す斜視図である。
【図８】図7に示す携帯電話機と充電アダプタとの関係を示す平面図である。
【図９】携帯電話機と検知部との他の例を示す要部断面図である。
【符号の説明】
【００３７】
Ａ      アンテナ
１      テレビジョン
１１    テレビジョン受信手段
１２    画像表示部（液晶ディスプレ）
１３    音声部（スピーカ）
１４    制御手段
１５    電源部
１７    筐体
２      携帯電話機
３      検知部
４      携帯電話機保持手段
５      スタンド部
６      ＵＳＢ接続ポート
７      充電アダプタ
７２    ＵＳＢコネクタ
【図１】
2008294495.tif 000003
【図２】
2008294495.tif 000004
【図３】
2008294495.tif 000005
【図４】
2008294495.tif 000006
【図５】
2008294495.tif 000007
【図６】
2008294495.tif 000008
【図７】
2008294495.tif 000009
【図８】
2008294495.tif 000010
【図９】
2008294495.tif 000011